(57)【要約】【課題】  地盤としての適度な強度を確保でき、かつ、踏圧による土壌固結が起きにくく透水性に優れ、また保水性・保肥性にも優れ、芝生の退化・枯死が起きにくい芝生植生基盤とする。【解決手段】  礫分、砂分及び粘土・シルト分を含む土から粒度０．１ｍｍ超〜１．５ｍｍ以下の成分を減少させ、該土に保水性又は保肥性を高めるための無機物と有機物とを混合し、もって、全体の粒度構成を、２ｍｍ超〜７５ｍｍ以下の成分が７０重量％以上、０．０７５ｍｍ以下の成分が１０％重量以上、０．１ｍｍ超〜１．５ｍｍ以下の成分が１５％以下となるように調整して芝生植生基盤材とし、この芝生植生基盤材２を敷き均し、転圧して、厚さ１５ｃｍ以上の芝生植生基盤１を施工する。【選択図】  図１
2011188759.tif 000002
【特許請求の範囲】
【請求項１】
礫分、砂分及び粘土・シルト分を含み、保水性又は保肥性を高めるための無機物と有機物とが混合され、全体の粒度構成を、２ｍｍ超〜７５ｍｍ以下の成分が７０重量％以上、０．０７５ｍｍ以下の成分が１０％重量以上、０．１ｍｍ超〜１．５ｍｍ以下の成分が１５％以下に調整されてなる芝生植生基盤材。
【請求項２】
礫分、砂分及び粘土・シルト分を含む土から粒度０．１ｍｍ超〜１．５ｍｍ以下の成分を減少させ、該土に保水性又は保肥性を高めるための無機物と有機物とを混合し、もって、全体の粒度構成を、２ｍｍ超〜７５ｍｍ以下の成分が７０重量％以上、０．０７５ｍｍ以下の成分が１０％重量以上、０．１ｍｍ超〜１．５ｍｍ以下の成分が１５％以下となるように調整することを特徴とする芝生植生基盤材の製造方法。
【請求項３】
請求項１に記載の芝生植生基盤材を敷き均し、転圧して、厚さ１５ｃｍ以上とした芝生植生基盤。
【発明の詳細な説明】
【技術分野】
【０００１】
本発明は、芝生植生基盤材及びその製造方法並びに芝生植生基盤に関するものである。
【背景技術】
【０００２】
芝生による緑化には、地温の上昇を抑え（ヒートアイランド防止、地球温暖化防止）、雨水の表面流出時間を遅らせ、砂塵が舞い上がるのを防ぐ等の効果があるため、更なる普及が期待されている。従来の芝生による緑化について、自動車による大きい踏圧を受ける駐車場と、人による小さい踏圧を受けるグラウンド等の一般広場とに分けて説明する。
【０００３】
（１）駐車場の芝生による緑化には、図２に示すように、樹脂製の芝生保護材５０を使用したものが一般的であった（特許文献１）。この芝生保護材５０は、平面視で格子点位置に配置した柱状の受圧体５１を板状の連設部５２で連設してなるものである。その施工は、図１（ｂ）に示すように、掘削現地５３上に砕石５４を厚さ１５ｃｍ程度に敷設し、砕石５４上にサンドクッション５５を厚さ２ｃｍ程度に敷設し、サンドクッション５５上に前記芝生保護材５０を並べて置き、受圧体５１及び連設部５２の間の空間に受圧体５１より少し低いところまで客土５６を入れて敷き均し、客土５６上に芝生５７を張るとともに、芝生５７に設けた穴から受圧体５１の上面が露出するようにし、芝生５７の上から客土５６の転圧を行う。施工後、自動車による大きい踏圧は受圧体５１の上面で受けるため、芝生５７を保護できるというものである。
【０００４】
しかし、この芝生保護材５０を用いた芝生による緑化には、次の問題があった。
（ａ）芝生は、生育するための限界土壌厚が３０ｃｍ、生存するための限界土壌厚が１５ｃｍとされている。前記芝生保護材５０の製品厚さ（受圧体５１高さ）は概ね７ｃｍ程度であり、従って芝生が生育するための土壌となる客土５６は製品厚さつまり７ｃｍしか確保されていなかった。このため、芝生が生育せず、経年の使用により芝生が退化・枯死することが非常に多い。
（ｂ）また、前記芝生保護材５０の受圧体５１の相互間隔は概ね８ｃｍと小さいため、客土５６を均一に敷き込みにくく、また、均一に転圧をかけにくい構造である。このため、事後に不等沈下してり、雨水が停滞したりしやすく、これも、芝生が退化・枯死する原因となっていた。
【０００５】
（２）一般広場の芝生による緑化においては、人による踏圧が小さく、前記芝生保護材５０を使うまでもないので、芝生の下地となる客土は１５ｃｍあるいは３０ｃｍといった十分な土壌厚を確保することができる。しかし、通常の客土では、人の踏圧によっても土壌固結が起こり、芝生の根が伸長できない土壌硬度となりやすい。このため、エアレーション等の維持管理が不可欠であるが、多くの芝生広場は適正な管理がされておらず、芝生は退化することが多かった。
【先行技術文献】
【特許文献】
【０００６】
【特許文献１】特開平１０−２９５２０１号公報
【発明の概要】
【発明が解決しようとする課題】
【０００７】
そこで、本発明の課題は、地盤としての適度な強度を確保でき、かつ、踏圧による土壌固結が起きにくく透水性に優れ、また保水性・保肥性にも優れ、芝生の退化・枯死が起きにくい芝生植生基盤材及び芝生植生基盤を提供することにある。
【課題を解決するための手段】
【０００８】
上記課題を解決するため、次のような検討を経て、本発明に至った。
駐車場として利用できる芝生地を作るためには、次の条件を満たすことが好ましい。
１．地盤としてのＣＢＲ（ＪＩＳ  Ａ  １２１１、貫入量２．５ｍｍ及び５．０ｍｍにおけるＣＢＲの大きい方の値）比が２０％以上確保されること
２．芝生が生育可能な保水性・保肥性・透水性を持ち、根の伸長が可能な空隙を有する土壌であること（土壌固結しにくいこと）
【０００９】
基本的に、一般的な土は、礫分（粒度２ｍｍ超〜７５ｍｍ以下のもの）から砂分（粒度０．０７５ｍｍ超〜２ｍｍ以下のもの）及び粘土・シルト分（粒度０．０７５ｍｍ以下のもの）までを満遍なく含んでおり、盛土材として広く使用され、締め固めが十分に行え、ＣＢＲの確保が容易である。しかし、踏圧による土壌固化が起きやすく、芝生の根が伸長しにくい。逆に、粒度の揃っている砂あるいは単粒度砕石は、踏圧による土壌固化が起きにくく、芝生の根は伸長しやすいが、保水性・保肥性に劣り、締め固めができないため、自動車が通行すると、動いてしまう。
【００１０】
本発明者は、土壌の粒度分布に注目し、粒度分布中の中間部分を削除することにより、地盤としてのＣＢＲを確保でき、かつ、踏圧による土壌固化が起きにくく透水性に優れた土壌が得られることを見出し、さらに、前記削除した中間部分に代えて無機物と有機物とを混合することにより、保水性・保肥性に優れた植生土壌が得られることを見出して、本発明に至った。
【００１１】
すなわち、上記課題を解決するための手段は、次のとおりである。
（１）礫分、砂分及び粘土・シルト分を含み、保水性又は保肥性を高めるための無機物と有機物とが混合され、全体の粒度構成を、２ｍｍ超〜７５ｍｍ以下の成分が７０重量％以上、０．０７５ｍｍ以下の成分が１０％重量以上、０．１ｍｍ超〜１．５ｍｍ以下の成分が１５％以下に調整されてなる芝生植生基盤材。
【００１２】
（２）礫分、砂分及び粘土・シルト分を含む土から粒度０．１ｍｍ超〜１．５ｍｍ以下の成分を減少させ、該土に保水性又は保肥性を高めるための無機物と有機物とを混合し、もって、全体の粒度構成を、２ｍｍ超〜７５ｍｍ以下の成分が７０重量％以上、０．０７５ｍｍ以下の成分が１０％重量以上、０．１ｍｍ超〜１．５ｍｍ以下の成分が１５％以下となるように調整することを特徴とする芝生植生基盤材の製造方法。
【００１３】
（３）前記芝生植生基盤材を敷き均し、転圧して、厚さ１５ｃｍ以上とした芝生植生基盤。
【００１４】
ここで、前述したとおり、礫分は粒度２ｍｍ超〜７５ｍｍ以下のものであり、砂分は粒度０．０７５ｍｍ超〜２ｍｍ以下のものであり、粘土・シルト分は粒度０．０７５ｍｍ以下のものである。
【００１５】
無機物としては、焼成鋳物砂、炭化スラッジ、破砕瓦等を例示でき、これらから選ばれる少なくとも１種を混合することが好ましい。焼成鋳物砂は、廃棄鋳物砂を焼成したものであり、主に保水性を高める。炭化スラッジは、スラッジ（下水や工場廃液の処理に伴って出る汚泥）を高温で炭化させたものであり、主に保水性を高める。破砕瓦は、廃棄瓦を粒状に破砕したものであり、主に保水性と耐圧性を高める。
【００１６】
有機物としては、堆肥（バーク堆肥等）、薬草、腐葉土等を例示でき、これらから選ばれる少なくとも１種を混合することが好ましい。
【発明の効果】
【００１７】
本発明の芝生植生基盤材及び芝生植生基盤によれば、地盤としての適度な強度を確保でき、かつ、踏圧による土壌固結が起きにくく透水性に優れ、また保水性・保肥性にも優れ、芝生の退化・枯死が起きにくいという優れた効果が得られる。
【図面の簡単な説明】
【００１８】
【図１】（ａ）は実施例の芝生植生基盤を示す断面図、（ｂ）は従来の芝生保護材を使用した保護工の断面図である。
【図２】（ａ）は従来の芝生保護材の平面図、（ｂ）はその側面図である。
【発明を実施するための形態】
【００１９】
礫分、砂分及び粘土・シルト分を含む土から粒度０．１ｍｍ超〜１．５ｍｍ以下の成分を減少させ、該土に保水性又は保肥性を高めるための無機物と有機物とを混合し、もって、全体の粒度構成を、２ｍｍ超〜７５ｍｍ以下の成分が７０重量％以上、０．０７５ｍｍ以下の成分が１０％重量以上、０．１ｍｍ超〜１．５ｍｍ以下の成分が１５％以下となるように調整して芝生植生基盤材とし、この芝生植生基盤材を敷き均し、転圧して、厚さ１５ｃｍ以上の芝生植生基盤を施工する。
【実施例１】
【００２０】
岐阜県関市産出の真砂土（通称サバ土）は礫分、砂分及び粘土・シルト分を満遍なく含む土であり、この土をふるいにかけ、この土から粒度０．１ｍｍ超〜１．５ｍｍ以下の成分を概ね４０重量％削除した。この削除処理後のサバ土に対して、次の配合比で無機物及び有機物を混合して、芝生植生基盤材を得た。
【００２１】
サバ土                                  ７８重量％
焼成鋳物砂（無機物：ビオトープサンド）    ５重量％
炭化スラッジ（無機物：カーボサンド）      ５重量％
破砕瓦（無機物：ルティアゲート）          ８重量％
バーク堆肥（有機物）                      ４重量％
【００２２】
ビオトープサンドは、有限会社ＡＣＲＥＣＯの商品名であり、廃棄鋳物砂を焼成したものである。カーボサンドは、株式会社クリエイトの商品名（登録商標）であり、故紙スラッジを高温で炭化させたものである。ルティアゲートは、春是産業株式会社の商品名（登録商標）であり、廃棄瓦を細粒状に破砕したものである。
【００２３】
得られた芝生植生基盤材の粒度分布を調べたところ、粒度２ｍｍ超〜７５ｍｍ以下の成分が７４．９重量％、粒度０．０７５ｍｍ超〜２ｍｍ以下の成分が１３．１重量％、粒度０．０７５ｍｍ以下の成分が１２．０重量％であり、特に粒度０．１ｍｍ超〜１．５ｍｍ以下の成分は１１．０重量％であった。
【００２４】
得られた芝生植生基盤材を用いて、図１（ａ）に示すように、芝生植生基盤１を施工した。
すなわち、駐車場予定の掘削現地３上に砕石４を厚さ１５ｃｍ程度に敷設し、砕石４上に上記で得られた芝生植生基盤材２を厚さ１５ｃｍ以上に敷き均し、その芝生植生基盤材２を３トン・ローラー車で転圧して厚さ１５ｃｍの芝生植生基盤１とし、芝生植生基盤１上に芝生７（具体的にはティフトン芝とコウライ芝）を張った。
【００２５】
なお、上記転圧後の芝生植生基盤１の諸性質を現場測定又はサンプル測定したところ、次のとおりであった。透水係数は、ＪＩＳ  Ａ  １２１８「土の透水試験（変水位）」（供試体作成、飽和方法については、ＪＳＦ  Ｔ  ７１１呼び名Ａにより突固め回数２５回で作成）に従って測定した。ＣＢＲは、段落０００８で説明した方法に従って測定した。
透水係数  ６．３２×１０-4ｃｍ／秒
ＣＢＲ    ２９．７％
ｐＨ      ６．５〜７．５
【００２６】
こうして芝生７により緑化した駐車場を、実際に駐車場として使用しながら経時観察したところ、芝生７の根は順調に伸長し、施工後１年経っても、芝生植生基盤１の不等沈下や土壌固化はほとんど起きず、芝生の退化・枯死は見られなかった。これは、上記のとおり粒度分布を調整した芝生植生基盤１が、地盤としての適度な強度を確保しており、かつ、踏圧による土壌固結が起きにくく透水性に優れ、また無機物及び有機物の混合により保水性・保肥性にも優れるためであると考えられる。また、従来のような樹脂製の芝生保護材５０を必要とせず、芝生植生基盤１の厚さを十分にとることができるからでもある。
【００２７】
本発明は上記実施例に限定されるものではなく、例えば次のように、発明の趣旨から逸脱しない範囲で適宜変更して具体化することもできる。
（１）実施例において、焼成鋳物砂、炭化スラッジ及び破砕瓦のうち、いずれか１種だけ、あるいは、焼成鋳物砂と炭化スラッジの２種、焼成鋳物砂と破砕瓦の２種、炭化スラッジと破砕瓦の２種を混合して実施することもできる。
（２）上記の芝生植生基盤１は、駐車場以外の所、例えば駐車場よりも踏圧が小さい一般的な芝生広場においても実施でき、同様の効果が得られることは言うまでもない。
【符号の説明】
【００２８】
１    芝生植生基盤
２    芝生植生基盤材
３    掘削現地
４    砕石
７    芝生
【図１】
2011188759.tif 000003
【図２】
2011188759.tif 000004